(57)【要約】      （修正有）【課題】生育が良好な針葉樹の苗木の栽培方法を提供する。【解決手段】栽培容器内の栽培用培地に植えた針葉樹の苗を、ファインバブルを含有する水又は水溶液を用いて栽培することを含む針葉樹の苗木の栽培方法。【選択図】なし【特許請求の範囲】
【請求項１】
栽培容器内の栽培用培地に植えた針葉樹の苗を、ファインバブルを含有する水又は水溶液を用いて栽培することを含む針葉樹の苗木の栽培方法。
【請求項２】
前記ファインバブルが直径１ｎｍ〜５０μｍの気泡を含む請求項１に記載の栽培方法。
【請求項３】
前記ファインバブルが直径１μｍ未満の気泡を含む請求項１又は２に記載の栽培方法。
【請求項４】
前記針葉樹がスギ科、マツ科、又はヒノキ科の針葉樹である請求項１〜３のいずれか一項に記載の栽培方法。
【請求項５】
５日に１回から１日３回の頻度で、連続する１５日以上の間、前記針葉樹の苗に前記ファインバブルを含有する水又は水溶液を与える請求項１〜４のいずれか一項に記載の栽培方法。
【請求項６】
前記栽培容器が、苗を収容するための複数の穴を有する育苗容器である請求項１〜５のいずれか一項に記載の栽培方法。
【発明の詳細な説明】
【技術分野】
【０００１】
本発明は針葉樹の苗木の栽培方法に関する。
【背景技術】
【０００２】
わが国の国土面積の約３分の２は森林面積であり、そのうちの約４割はスギ、ヒノキ等の人工林面積である。造林は日本の産業及び環境保全にとって重要である。従来、スギ、ヒノキ等の針葉樹の苗木の育成は農家が個別に行っており、畑等の自然土壌に種又は若木を植えて育成していたが、苗作りには農家の熟練を要するという問題があった。高齢化による林業の担い手の減少に伴い、より効率的な針葉樹の育苗が望まれている。
【０００３】
そこで、近年、コンテナを利用したより低コストでシステム化された苗木生産が着目されるようになってきたが、コンテナを利用して針葉樹を育苗する場合、コンテナに収容できる培土が畑に比べて制約があるため、苗の根付きが悪い、針葉樹の育苗には年単位（通常１．５〜３年）の期間がかかるところコンテナに植えても生育途中で枯れる率が非常に高い等の問題があった。
【０００４】
一方で、マイクロバブルを用いて植物を栽培する方法が知られている（特許文献１〜３）。マイクロバブルを含有する水を用いて植物を栽培すると、植物の成長を促進することができると考えられている。
【先行技術文献】
【特許文献】
【０００５】
【特許文献１】特開2010-94117
【特許文献２】特開2011-255294
【特許文献３】特開2015-97515
【発明の概要】
【発明が解決しようとする課題】
【０００６】
しかしながら、従来のマイクロバブルの植物栽培の用途は、野菜や果物等の食用植物の育成に限られている。また、栽培方法も、例えばゴボウやジャガイモ等を植え付けた土壌にマイクロバブル水を散水して露地栽培するか（特許文献１、特許文献２）、スプラウト、葉菜類等の植物をマイクロバブルを含む水耕液で水耕栽培するものであり（特許文献２、特許文献３）、針葉樹を容器を用いて効率的に育苗することについては取り組んでいない。
【０００７】
本発明の課題は、良好な状態の針葉樹の苗木を効率的に育成することができる針葉樹の苗木の栽培方法を提供することにある。
【課題を解決するための手段】
【０００８】
本発明者らは、上記の目的を達成すべく、ファインバブルを含有する水又は水溶液を用いて、栽培容器内の栽培用培地に植えた針葉樹の苗を栽培することで、容器栽培された針葉樹の苗木の生育を促進し、健全な状態の苗を得られる確率を大幅に高めることができることを見出し、本発明を完成するに至った。
【０００９】
すなわち本発明は、以下の項に記載の主題を包含する。
【００１０】
項１．栽培容器内の栽培用培地に植えた針葉樹の苗を、ファインバブルを含有する水又は水溶液を用いて栽培することを含む針葉樹の苗木の栽培方法。
【００１１】
項２．前記ファインバブルが直径１ｎｍ〜５０μｍの気泡を含む項１に記載の栽培方法。
【００１２】
項３．前記ファインバブルが直径１μｍ未満の気泡を含む項１又は２に記載の栽培方法。
【００１３】
項４．前記針葉樹がスギ科、マツ科、又はヒノキ科の針葉樹である項１〜３のいずれか一項に記載の栽培方法。
【００１４】
項５．５日に１回から１日３回の頻度で、連続する１５日以上の間、前記針葉樹の苗に前記ファインバブルを含有する水又は水溶液を与える項１〜４のいずれか一項に記載の栽培方法。
【００１５】
項６．前記栽培容器が、苗を収容するための複数の穴を有する育苗容器である項１〜５のいずれか一項に記載の栽培方法。
【発明の効果】
【００１６】
本発明によれば、苗木の育成が促進され、栽培容器を用いて針葉樹の苗木を効率的に育成することが可能となる。また、本発明によれば、栽培された苗木の状態が良好であり、同じ栽培期間であってもファインバブルを用いない容器栽培に比べて苗木の幹の直径・枝の長さ・根の重量等が増大する。このため、針葉樹の苗を出荷できるまで育成する期間が短縮できることから、育苗にかかるコストを大幅に減少させることができる。
【図面の簡単な説明】
【００１７】
【図１】本発明の実施形態の針葉樹の苗木の栽培装置の略図。
【図２】種まきから８４日経過後の４種の針葉樹の生育状態を示す写真。（Ａ）スギ、（Ｂ）ヒノキ、（Ｃ）アカマツ、（Ｄ）クロマツ。
【図３】種まきから１７５日経過後の４種の針葉樹の生育状態を示す写真。（Ａ）スギ、（Ｂ）ヒノキ、（Ｃ）アカマツ、（Ｄ）クロマツ。
【図４】種まきから２２６日経過後のスギ苗の針葉樹の生育状態を示す写真。左側のコンテナがファインバブル区、右側のコンテナが通常区。
【図５】ファインバブル区（ｎ＝３４）と通常区（ｎ＝１９）のスギ苗の幹の直径を比較したグラフ。
【図６】ファインバブル区（ｎ＝５）と通常区（ｎ＝１４）のスギ苗の最長枝の長さを比較したグラフ。
【図７】ファインバブル区（ｎ＝３４）と通常区（ｎ＝３９）のスギ苗の苗の高さを示すグラフ。
【図８】ファインバブル区と通常区のスギ苗の根の生育状態を示す写真。左側の苗がファインバブル区、右側の苗が通常区。
【発明を実施するための形態】
【００１８】
本発明の一態様によれば、栽培容器内の栽培用培地に植えた針葉樹の苗を、ファインバブルを含有する水又は水溶液を用いて栽培することを含む針葉樹の苗木の栽培方法が提供される。
【００１９】
針葉樹は、裸子植物中で球果を持つ一群の植物を指し、マツ科、ヒノキ科（スギ科を含む）、マキ科、ナンヨウスギ科、イチイ科、イヌガヤ科等の植物が含まれる。
【００２０】
マツ科は、モミ属（Abies）、カタヤ属（Cathaya）、ヒマラヤスギ属（Cedrus）、ユサン属（Keteleeria）、カラマツ属（Larix）、ノトツガ属（Nothotsuga）、マツ属（Pinus）、トウヒ属（Piciea）、イヌカラマツ属（Pseudolarix）、トガサワラ属（Pseudotsuga）、ツガ属（Tsuga）を含むがこれらに限定されない。
【００２１】
ヒノキ科は、コウヨウザン亜科(Cunninghamioideae)、アツロタクシス亜科（Athrotaxidoideae）、タイワンスギ亜科（Taiwanioideae）、セコイア亜科（Sequoioideae）、スギ亜科（Taxodioideae）、カリトリス亜科（Callitroideae）、ヒノキ亜科（Cupressoideae）に分類され、コウヨウザン亜科はコウヨウザン属（Cunninghamia）を含み、アツロタクシス亜科はアツロタクシス属（Athrotaxis）を含み、タイワンスギ亜科はタイワンスギ属（Taiwania）を含み、セコイア亜科はセコイア属（Sequoia）、セコイアデンドロン属（Sequoiadendron）、及びメタセコイア属（Metasequoia）を含み、スギ亜科はスギ属（Cryptomeria）、ヌマスギ属（Taxodium）、及びスイショウ属（Glyptostrobus）を含み、カリトリス亜科はActinostrobus属、Austrocedrus属、カリトリス属（Callitris）、Diselma属、フィッツロヤ属（Fitzroya）、Libocedrus属、Neocallitropsis属、Papuacedrus属、Pilgerodendron属、及びWiddringtonia属を含み、ヒノキ亜科はヒノキ属（Chamaecyparis）、アスナロ属（Thujopsis）、クロベ属（Thuja）、ビャクシン属（Juniperus）、フッケンヒバ属（Fokienia）、イトスギ属（Cupressus）コノテガシワ属(Platycladus)、ウスリーヒバ属（Microbiota）、カクミヒバ属（Tetraclinis）、及びオニヒバ属（Calocedrus）を含むがこれらに限定されない。
【００２２】
マキ科は、Acmopyle属、Afrocarpus属、Dacrycarpus属、Dacrydium属、Falcatifolium属、Halocarpus属、Lagarostrobos属、Lepidothamnus属、Manoao属、Microcachrys属、Microstrobos属、ナギ属（Nageia）、Parasitaxus属、エダハマキ属（Phyllocladus）、マキ属（Podocarpus ）、Prumnopitys属、Retrophyllum属、Saxegothaea属、及びSundacarpus属を含むがこれらに限定されない。
【００２３】
ナンヨウスギ科は、ナンヨウスギ属（Araucaria）、Araucarioxylon属、ナギモドキ属（Agatis）、及びウォレミア属（Wollemia）を含むがこれらに限定されない。 
【００２４】
イチイ科は、Austrotaxus属、イチイ属（Taxus）、及びPseudotaxus属を含むがこれらに限定されない。
【００２５】
イヌガヤ科は、イヌガヤ属（Cephalotaxus）、カヤ属（Torreya）、Amentotaxus属を含むがこれらに限定されない。
【００２６】
好ましくは針葉樹はスギ科、マツ科、又はヒノキ科の針葉樹である。これらの針葉樹はわが国の林業に用いられている主な樹木であるため、本発明が産業に及ぼす影響が大きい。
【００２７】
針葉樹の種の例としては、アカマツ（Pinus densiflora、マツ科マツ属）、クロマツ（Pinus thunbergii、マツ科マツ属）、モミ（Abies firma、マツ科モミ属）、スギ（Cryptomeria japonica、ヒノキ科スギ亜科スギ属）、ヒノキ（Chamaecyparis obtusa、ヒノキ科ヒノキ属）、マキ（Podocarpus macrophyllus、マキ科マキ属）、イチイ（Taxus cuspidata、イチイ科イチイ属）、イヌガヤ（Cephalotaxus harringtonia、イヌガヤ科イヌガヤ属）等が挙げられるがこれらに限定されない。
【００２８】
栽培用培地は、黒土、赤玉土、鹿沼土、山砂、川砂、田土等の自然土壌；ミズゴケ、腐葉土、泥炭、籾殻、籾殻燻炭、ココナッツ繊維、バーミキュライト、パーライト、ピートモス、ゼオライト、ガラスビーズ等の人工土壌；並びにこれらの組み合わせなどを挙げることができる。栽培用培地は、無機成分、炭素源、ビタミン類、アミノ酸類及び植物ホルモン類等をさらに含んでもよく、これらは固形又は液体の形で栽培用培地に添加しておくことができる。
【００２９】
栽培容器は、針葉樹の育苗に使用可能な任意の栽培容器を用いることができ、公知の容器を用いることもでき、特に限定されない。例えば、育苗ポットやコンテナが挙げられる。育苗ポットは環状の側壁と底部とにより区画形成された栽培用培地の収容用の穴を有し、かかる穴を一つのポット当たり一つ有する栽培容器である。育苗ポットは、通常、変形可能な薄膜状の合成樹脂から形成される。コンテナは合成樹脂成形品の栽培容器であり、シングルウェルのものとマルチウェルのものがあるが、マルチウェルコンテナは一つのコンテナに栽培用培地の収容用の複数の穴を有する。各穴は環状の側壁と底部とにより区画形成され、複数の穴が縦及び／又は横に整列している。このため、各穴に針葉樹の種又は苗を植え付けることにより、一つのコンテナで複数の苗を生育することができる。コンテナは好ましくは、側壁の長手方向に沿って側壁の内周に、苗の根の発達を垂直下方に方向づけるための線状の突起部を有することが好ましい。代わりに又は追加で、育苗ポット及びコンテナは根腐れを防止するために、底部に穴を有することが好ましい。
【００３０】
ファインバブルとは直径が１００μｍ以下の微細な気泡を指す。本願発明では針葉樹の苗木の生育にファインバブルを含有する水又は水溶液を用いるが、水又は水溶液中のファインバブルの気泡の直径が細かいほど、植物の生育がより促進される。このため、ファインバブルの直径は１ｎｍ〜５０μｍであることが好ましく、１μｍ未満であることがより好ましい。直径１μｍ〜１００μｍのファインバブルのことをマイクロバブルと呼び、直径１μｍ未満のファインバブルのことをウルトラファインバブル（ＵＦＢ）と呼ぶ。ウルトラファインバブルの中でも直径が１ｎｍ以上１μｍ未満のものをナノバブルと呼ぶ。
【００３１】
ファインバブルの気泡は水又は水溶液１ｍｌ当たり１〜１０12個含まれていることが好ましい。ファインバブルがマイクロバブルの場合、気泡の数は水又は水溶液１ｍｌ当たり１０〜１０4個であることが好ましく、１０〜１０3個であることがより好ましい。ファインバブルがウルトラファインバブルの場合、気泡の数は水又は水溶液１ｍｌ当たり１０2〜１０12個であることが好ましく、１０4〜１０10個であることがより好ましく、１０6〜１０10個であることがさらに好ましい。
【００３２】
ファインバブルを含有する水又は水溶液は、水又は水溶液をファインバブル発生装置を用いて処理し、ファインバブルを発生させることにより製造することができる。ファインバブル発生装置は市販のものを利用することができる。
【００３３】
ファインバブルを含有する水又は水溶液の製造に用いる水又は水溶液は、水道水、蒸留水、地下水、淡水、雨水等を用いることができ、水道水、地下水、淡水、又は雨水を用いることがコスト、利便性等の点で好ましい。特に水道水、地下水、淡水、及び／又は雨水を農業用水としてタンク等に貯蔵しておくと、潅水に便利である。
【００３４】
マイクロバブル発生装置に送り込む気体、すなわち、水又は水溶液中に放出するファインバブルの気泡としては、空気、酸素、窒素等を用いることができ、空気を用いることが好ましい。
【００３５】
ファインバブルを含有する水又は水溶液は、針葉樹の生育に必要な養分を添加して使用することもできる。
【００３６】
栽培容器内で針葉樹の苗を栽培する場合、栽培容器内の栽培用培地に種を播いてもよいし、針葉樹の若木を植えてもよいし、挿し木（培地に枝を挿し付ける手法）により植えてもよい。
【００３７】
ファインバブルを含有する水又は水溶液は、種を栽培用培地に播いた直後から植物に与えてもよいし、芽が出てから与えてもよい。
【００３８】
ファインバブルを含有する水又は水溶液を植物に与える期間は特に限定されないが、５日に１回から１日３回の頻度で、連続する１５日以上であることが好ましく、連続する３０日以上であることがより好ましい。「５日に１回から１日３回の頻度で、連続する１５日以上」とは、水又は水溶液の施用を毎日行うわけではないが、５日に１回から１日３回の頻度で、それを連続して１５日以上行うことを指す。
【００３９】
針葉樹の苗を戸外で栽培する場合、降雨によりファインバブルを含有する水又は水溶液の効果が弱まる場合があるため、飼育期間中の水遣り回数のうち、半分以上の回数でファインバブルを含有する水又は水溶液を植物に与えることが好ましく、８０％以上での回数でファインバブルを含有する水又は水溶液を植物に与えることがより好ましい。
【００４０】
好ましくは、上記実施形態のファインバブルを含有する水又は水溶液を用いた針葉樹の苗の栽培方法によれば、作物（苗）の地上部乾燥重量の地下部乾燥重量に対する比率であるＴ／Ｒ率が、種まきから１年以内で３以下になる。このため、出荷に適した根の発達が良い苗をより早く育成することができる。
【００４１】
上記実施態様のファインバブルを含有する水又は水溶液を用いた針葉樹の苗の栽培方法によれば、栽培容器で苗木を育成しても栽培された苗木の状態が良好であり、針葉樹の苗木を効率的に育成することが可能となる。
【００４２】
さらには、本方法によれば低コストでシステム化された苗木生産が可能であり、熟練度の低い作業者でも効率よく針葉樹の苗木を育成することができる。また、栽培された苗は容器に入れた状態でそのまま流通させることもでき、良好な状態で山林等への定植用に使用することができる。
【００４３】
以下に実施例を挙げて本発明をより具体的に説明するが、本発明はこれらに限定されない。
【実施例】
【００４４】
１．植物の準備
４０穴（５×８、各容量１５０ｍｌ）のマルチキャビティコンテナの各穴に、栽培用培地としてココピートとパーライトを主成分とした混合培地を入れ、針葉樹の種を植えた。針葉樹はスギ、ヒノキ、アカマツ、クロマツの４種とし、一つのコンテナに一種の植物を割り当てた。
【００４５】
２．栽培装置の設置
図１に示すように、農業用水を貯留する農業用水タンク１０とファインバブル含有水生成タンク１５とを第１の配管２１により接続し、第１の配管２１の途中に開閉弁１１、第１のポンプ１２、及び電磁制御弁１３を設けた。また、第２の配管２２の基端にファインバブル含有水生成タンク１５を、第２の配管２２の先端に拡散ノズル１９を接続し、第２の配管２２の途中に第２のポンプ１６及び減圧弁１７を設けた。さらに、ファインバブル発生器１４をファインバブル含有水生成タンク１５と接続した。ファインバブル発生器１４には中西金属工業株式会社製のウルトラファインバブル発生装置（直径１μｍ未満の泡を１０8個／ｍｌ以上発生）を使用した。
【００４６】
第１のポンプ１２を作動させて、農業用水タンク１０からファインバブル含有水生成タンク１５へ水を移動させ、ファインバブル含有水生成タンク１５に５０Ｌの水を貯留した。次に、ファインバブル発生器１４を作動させ１０分間運転した。次に、第２のポンプ１６を作動させ、拡散ノズル１９を介してファインバブル含有水を、コンテナ２３に植えた植物２４に潅水した。
農業用水と、ファインバブル含有水の溶存酸素濃度（ＤＯ）を測定したところ、農業用水の溶存酸素濃度は８．７ｐｐｍ、ファインバブル含有水は９．２ｐｐｍで環境省の基準（生活環境の保全に関する環境基準類型ＡＡ、７．５ｍｇ／ｌ以上）を満たしていた。
【００４７】
３．栽培条件と観察
コンテナは日当たりのよい戸外に置き、植物の栽培は播種から２４２日間行った。
潅水量は地面面積１ｍ2当たり５Ｌとし、潅水頻度は夏季は１日２〜３回、冬季は２日に１回〜５日に１回、秋季は１日に１回程度とした。
肥料は１株当たり市販の遅効性固形肥料φ５〜１０ｍｍ  １粒程度を施用した。
ファインバブルを含有する水を与えた植物をファインバブル（ＦＢ）区とし、ファインバブルを含有しない水を与えた植物を通常区とした。
苗の幹の直径、全枝の長さ、最長枝の長さ、苗高さ、地上部と地下部の重量、ＴＲ比を測定した。枯死した苗や著しく状態が不良な苗は測定対象から除外し、一部を選択して平均値を算出する場合は株をランダムに選択した。
【００４８】
４．結果
図２は種まきから８４日経過後、図３は種まきから１７５日経過後の４種の針葉樹の生育状態を示す。いずれの種の苗でも、ファインバブル（ＦＢ）区の苗の生育は通常区の苗よりも優れていることが観察された。
【００４９】
図４は種まきから２２６日経過後のスギ苗の生育状態を示す。左側のコンテナのファインバブル（ＦＢ）区のスギ苗の生育状態が、右側のコンテナの通常区のスギ苗よりも大幅に優れている。ファインバブル（ＦＢ）区では２２６日経過後でも外観の状態の良好な個体が多く、枯死していない、１年苗の平均苗サイズとされる高さ１０ｃｍ以上の苗が４０株中２２株であり、これは通常区の４０株中１１株に比べて多かった。また、通常区の苗では、長期間の生育の間に枯死する個体がかなりの数で出現した。スギ苗以外の苗でも同様の結果が得られた（データ非図示）。
【００５０】
図５は種まきから２２６日経過後のファインバブル（ＦＢ）区と通常区のスギ苗の幹の直径を比較したグラフである。ファインバブル（ＦＢ）区の苗の方が幹の直径が大きくなっていることが分かった（２．３±０．５ｃｍ  対  １．８±０．３ｃｍ、ｐ＜０．０１）。
【００５１】
表１は種まきから２３１日経過後のファインバブル（ＦＢ）区及び通常区のそれぞれで苗高さ１１±１ｃｍの３個体をランダムに選択した苗の枝の長さの平均値（ｃｍ）を示す。ファインバブル（ＦＢ）区の方が通常区よりも枝が長く、枝張りが良いことが理解される。
【００５２】
【表１】
2020156410.tif 000002
【００５３】
図６はファインバブル区（ＦＢ）と通常区のスギ苗の最長枝の長さを比較したグラフである。最長枝の長さの平均値は、ファインバブル（ＦＢ）区の方が通常区よりも有意に長かった（８．９±０．４ｃｍ  対  ６．８±０．７ｃｍ、ｐ＜０．０１）。
【００５４】
図７はファインバブル（ＦＢ）区と通常区のスギ苗の高さを示すグラフである。スギ苗の高さの平均値は、ファインバブル区の方が通常区よりも有意に長かった（１１．４±３．１ｃｍ  対  ７．９±２．８ｃｍ、ｐ＜０．０１）。
【００５５】
図８はファインバブル（ＦＢ）区と通常区のスギ苗の根の生育状態を示す。左側のファインバブル（ＦＢ）区の苗の方が、右側の通常区の苗よりも根の発達が大きかった。ファインバブル区（ＦＢ）の苗の方が枝張りが良いのも、根の状態が良いためと考えられる。
【００５６】
表２は種まきから２８６日経過後のスギ苗のファインバブル（ＦＢ）区と通常区について無作為に選んだ苗高さ１１±１ｃｍの５個体の地上部乾燥重量及び地下部（根）乾燥重量、並びにＴ／Ｒ率を示す。Ｔ／Ｒ率は作物の地上部乾燥重量の地下部乾燥重量に対する比率であり、この値が低いほど根の発達が良いことを指す。ファインバブル（ＦＢ）区の苗のＴ／Ｒ率は通常区の苗のＴ／Ｒ率よりも有意に低かった（２．４±０．４  対  ３．３±０．５、ｐ＜０．０５）。従来の畑栽培では約２年かけて出荷する苗の目標Ｔ／Ｒ率は２前後とされており、本試験では栽培期間が１年に満たないが、通常区に比べてファインバブル（ＦＢ）区のほうが目標値に近く、優良と判断できる。
【００５７】
【表２】
2020156410.tif 000003
【図１】
2020156410.tif 000004
【図２】
2020156410.tif 000005
【図３】
2020156410.tif 000006
【図４】
2020156410.tif 000007
【図５】
2020156410.tif 000008
【図６】
2020156410.tif 000009
【図７】
2020156410.tif 000010
【図８】
2020156410.tif 000011
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
栽培容器内の栽培用培地に植えた針葉樹の苗を、ファインバブルを含有する水又は水溶液を用いて栽培することを含む針葉樹の苗木の栽培方法であって、
苗の地上部乾燥重量の地下部乾燥重量に対する比率であるＴ／Ｒ率が、種まきから１年以内で３以下になる、栽培方法。
【請求項２】
前記栽培容器内の栽培用培地に植えた針葉樹の苗を、ファインバブルを含有する水又は水溶液を用いて苗を高さ１０ｃｍ以上まで栽培することを含む請求項１に記載の栽培方法。
【請求項３】
前記ファインバブルが直径１ｎｍ〜５０μｍの気泡を含む請求項１又は２に記載の栽培方法。
【請求項４】
前記ファインバブルが直径１μｍ未満の気泡を含む請求項１〜３のいずれか一項に記載の栽培方法。
【請求項５】
前記針葉樹がスギ科、マツ科、又はヒノキ科の針葉樹である請求項１〜４のいずれか一項に記載の栽培方法。
【請求項６】
５日に１回から１日３回の頻度で、連続する１５日以上の間、前記針葉樹の苗に前記ファインバブルを含有する水又は水溶液を与える請求項１〜５のいずれか一項に記載の栽培方法。
【請求項７】
前記栽培容器が、苗を収容するための複数の穴を有する育苗容器である請求項１〜６のいずれか一項に記載の栽培方法。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
栽培容器内の栽培用培地に植えた針葉樹の苗を、ファインバブルを含有する水又は水溶液を用いて栽培することを含む針葉樹の苗木の栽培方法であって、
苗の地上部乾燥重量の地下部乾燥重量に対する比率であるＴ／Ｒ率が、種まきから１年以内で３以下になる、栽培方法。
【請求項２】
前記栽培容器内の栽培用培地に植えた針葉樹の苗を、ファインバブルを含有する水又は水溶液を用いて苗を高さ１０ｃｍ以上まで栽培することを含む請求項１に記載の栽培方法。
【請求項３】
前記ファインバブルが直径１ｎｍ以上１μｍ未満の気泡を含む請求項１又は２に記載の栽培方法。
【請求項４】
前記ファインバブルが直径１μｍ未満の気泡を含む請求項１又は２に記載の栽培方法。
【請求項５】
前記針葉樹がスギ科、マツ科、又はヒノキ科の針葉樹である請求項１〜４のいずれか一項に記載の栽培方法。
【請求項６】
５日に１回から１日３回の頻度で、連続する１５日以上の間、前記針葉樹の苗に前記ファインバブルを含有する水又は水溶液を与える請求項１〜５のいずれか一項に記載の栽培方法。
【請求項７】
前記栽培容器が、苗を収容するための複数の穴を有する育苗容器である請求項１〜６のいずれか一項に記載の栽培方法。